(57)【特許請求の範囲】
【請求項１】
排水機場に設置される除塵設備であって、
水路の上方に設けられる足場と、
前記足場によって支持され、下部が前記水路中にあって前記水路を流れる塵芥を捕捉する手掻きスクリーンと、
前記足場に設けられ、前記手掻きスクリーンが捕捉した塵芥が収集される塵芥収集部と、を備え、
前記手掻きスクリーンの上部が、前記塵芥収集部より高い位置まで延び、かつ、前記塵芥収集部に向かって下方に湾曲した円弧状である、除塵設備。
【請求項２】
前記手掻きスクリーンは、その下端と、前記足場によって支持される部分との間に１以上の水平面を有する、請求項１に記載の除塵設備。
【請求項３】
前記水平面の一部は、前記水路に向かって開口している、請求項２に記載の除塵設備。
【請求項４】
前記水平面は、複数の金属棒によって構成され、金属棒どうしの間に隙間が存在する、請求項２または３に記載の除塵設備。
【請求項５】
前記水平面は、作業員が作業可能な幅を有する、請求項２乃至４のいずれかに記載の除塵設備。
【請求項６】
前記水平面には、前記水平面より高い状態と低い状態とを取り得る安全柵が設けられる、請求項２乃至５のいずれかに記載の除塵設備。
【発明の詳細な説明】
【技術分野】
【０００１】
本発明は、排水機場に設置される除塵設備およびその製造方法、排水機場、ならびに、除塵設備に捕捉された塵芥の除去方法に関する。
【背景技術】
【０００２】
図１は、洪水などの災害を未然に防止するために、内水河川１および外水河川２に隣接して設けられる排水機場１００を模式的に示す上面図である。都市の雨水排水管路は内水河川１に集約されている。通常、内水河川１に流れ込んだ雨水は、自然流下によって、自然流下ゲート３を介して外水河川２に放出される。
【０００３】
ところが、雨水が急激に増加すると、通常の自然流下では自然流下ゲート３を介した排水が滞る場合がある。そこで、そのような場合には自然流下ゲート３を閉じ、増加した雨水を内水河川１から排水機場１００に導く。排水機場１００は自然流下よりも効率よく強制的に雨水を外水河川２に排水する。これにより洪水などの災害を防止できる。
【０００４】
排水機場１００には、上流側から順に、吸込水路１０、除塵設備１１、排水ポンプ１２、吐出水路１３および吐出ゲート１４が設けられる。排水ポンプ１２には、吸込水路１０を介して内水河川２からの水が流れ込む。排水ポンプ１２の駆動により、吸込水路１０に流れ込んだ水は吐出水路１３および吐出ゲート１４を介して外水河川２に排水される。
【０００５】
雨水が急激に増加する場合、水に押し流される物体も多く、かつ通常の場合より大きい物体、例えばビニールなどのプラスチック品、衣類、流木、場合によっては机、椅子、畳、ソファ、テーブルなどが流されることもある。これらが排水ポンプ１２に流れ込むと、その故障につながりかねない。そのため、排水ポンプ１２に向かう流水中の塵芥などを捕捉して取り除く除塵設備１１が排水ポンプ１２の上流に設けられる。
【０００６】
一般に、除塵設備１１は除塵（回収）方式および設置方式によって分類される。除塵（回収）方式には、手掻き式と機械式とがあり、設置方式には、固定（定置）式と走行（移動）式とがある。機械式の除塵設備１１は広い足場を必要とするため、広い足場を確保できない場合には、固定式・手掻き式の手掻きスクリーンが除塵設備に採用される。
【０００７】
図２は、手掻きスクリーン２０を含む除塵設備１１を模式的に示す側面図である。手掻きスクリーン２０は足場４１に立てかけられ、その下部で塵芥４０を捕捉する。捕捉された塵芥４０は、足場４１上の作業員４３が熊手式の除去具４４を用いて掻き上げることによって、手掻きスクリーン２０から除去される。
【先行技術文献】
【特許文献】
【０００８】
【特許文献１】特開２００７−６３９３９号公報
【特許文献２】特開平１１−２４７１６３号公報
【特許文献３】実開昭５０−１２６０３８号公報
【特許文献４】実開昭５４−３６３３４号公報
【特許文献５】特開２００８−６３９０９号公報
【特許文献６】特開２０００−１９２４３８号公報
【特許文献７】特開２００７−１９１９３８号公報
【特許文献８】特開２００３−２０７１６号公報
【発明の概要】
【発明が解決しようとする課題】
【０００９】
除去具４４の柄の長さは吸込水路１０の水深によって定まる。水深が浅い場合には柄は短くてよく、除去具４４は比較的軽量である。しかしながら、水深が深く、例えば４〜５ｍである場合、柄の長さも４〜５ｍ程度にする必要がある。そうすると除去具４４が重くなり、除去具４４を用いて塵芥４０を足場４１まで掻き上げるには多大な労力を要する。そのため、作業員４３が腰を痛めることも多々ある。また、除去具４４が重いために作業員４３が足場４１から転落する危険もある。
【００１０】
また、塵芥４０を掻き上げる際には、除去具４４の先端（レーキ部）４３ａを手掻きスクリーン２０の斜面に押し当てる必要がある。除去具４４の柄が長いほど、押し当てる力を大きくしなければならず、作業員４３の体力を激しく消耗する。水流圧によってスクリーン２０に張り付いた塵芥４０を引き寄せるのにも相当な力を必要とする。場合によっては複数の作業員４３での作業が必要となるが、狭い足場４１上で複数の作業員４３が作業するのは困難かつ危険である。
【００１１】
さらに、大雨によって大量の流下物が流れ込んでそれらが複雑に絡み合った状況にあっては、ひとつの塵芥４０を引き上げるにも非常に困難な作業を要する。このように困難で不安定な状況における作業により、作業員４３の体力を消耗させて判断力を誤らせ、誤って足場４１から転落するおそれすらある。
【００１２】
本発明はこのような問題点に鑑みてなされたものであり、本発明の課題は、排水機場において作業員が安全に塵芥を除去できる除塵設備、そのような除塵設備の製造方法、そのような除塵設備を含む排水機場、および、除塵設備によって捕捉された塵芥を除去する方法を提供することである。
【課題を解決するための手段】
【００１３】
本発明の一態様によれば、排水機場に設置される除塵設備であって、水路の上方に設けられる足場と、前記足場によって支持され、下部が前記水路中にあって前記水路を流れる塵芥を捕捉し、上部が前記足場より高い位置まで延びる手掻きスクリーンと、を備える除塵設備が提供される。足場より高い位置まで手掻きスクリーンの上部が延びているため、このスクリーンの上部が作業員の落下を防止する安全柵として機能し、足場上で作業する作業員の安全性が向上する。
【００１４】
望ましくは、除塵設備は、前記足場に設けられ、前記手掻きスクリーンが捕捉した塵芥が収集される塵芥収集部を備え、前記手掻きスクリーンの上部は、前記塵芥収集部より高い位置まで延び、かつ、前記塵芥収集部に向いている。前記塵芥収集部は、例えば、前記足場に置かれた塵芥運搬具、または、前記足場に設けられた塵芥案内路である。このような手掻きスクリーンにより、掻き上げた塵芥をそのまま塵芥収集部に収集できる。
【００１５】
さらに望ましくは、前記塵芥収集部は、前記足場に設けられた塵芥案内路であり、前記塵芥案内路の底部の一部は、前記水路に向かって開口している。この開口により、塵芥案内路において、塵芥を脱水できる。
【００１６】
前記手掻きスクリーンは、前記足場に支持される第１部材と、前記第１部材に対して移動可能かつ回転可能であり、少なくとも一部が前記足場より高い位置に延びる第２部材と、を有していてもよい。第２部材が移動可能かつ回転可能であることにより、手掻きスクリーンの形状を最適化できる。
【００１７】
望ましくは、前記手掻きスクリーンは階段状であってもよいし、前記手掻きスクリーンは、前記水路の底に支持され、前記足場に近づく方向に傾斜した第１傾斜面と、前記第１傾斜面から水平に延びる水平面と、前記水平面から前記足場に近づく方向に傾斜した第２傾斜面と、を有する。水平面上で作業可能となり、作業員の作業負担を軽減できる。
さらに望ましくは、前記水平面の前記第１傾斜面側には、突起部が設けられる。突起部により、水平面に置いた塵芥が第１傾斜面に戻るのを防止できる。
【００１８】
また、本発明の別の態様によれば、排水機場に設置される除塵設備であって、水路の上方に設けられた足場と、前記足場によって支持され、下部が前記水路中にあって前記水路を流れる塵芥を捕捉する手掻きスクリーンであって、その下端と、前記足場によって支持される部分との間に１以上の水平面を有する手掻きスクリーンと、を備える除塵設備が提供される。水平面で作業員の水没を防止できるとともに、水平面で作業できることで作業負担を軽減できる。
【００１９】
前記手掻きスクリーンは、複数の前記水平面と、前記水平面どうしをつなぐ段間面と、を有し、前記段間面は、上部が前記足場に近づく方向に傾斜していてもよい。段間面が傾斜していることにより、塵芥を掻き上げる作業を軽減できる。
【００２０】
前記手掻きスクリーンは、外枠と、垂直方向に配置され、前記外枠に固定された複数の棒と、水平方向に配置され、前記複数の棒のうちの一部どうしを連結するバー連結棒と、前記バー連結棒に取り付けられた前記水平面と、を有してもよい。
【００２１】
また、本発明の別の態様によれば、排水機場に設置される除塵設備であって、水路の上方に設けられた第１足場と、前記第１足場によって支持され、下部が前記水路中にあって前記水路を流れる塵芥を捕捉する手掻きスクリーンと、前記水路の上方の、前記第１足場とは異なる位置に設けられる第２足場と、前記第２足場によって支持され、前記手掻きスクリーンに近接する水平面を有する第３足場と、を備える除塵設備が提供される。スクリーンを支持する第１足場とは異なる第３足場の水平面から塵芥を除去でき、作業員の安全性が向上する。
【００２２】
望ましくは、除塵設備は、前記水平面に設けられた安全柵を備える。安全柵により、作業員の安全性がさらに向上する。
また、前記安全柵は下部が開口しているのが望ましい。この開口から除去具を用いて塵芥を効率よく除去できる。
さらに、前記水平面の一部は、前記水路に向かって開口しているのが望ましい。この開口により、水平面に置かれた塵芥を脱水できる。この開口により、水平面におかれた塵芥を脱水できるとともに、受水面積を広くして、手掻きスクリーンにおける濾過面積率を大きくすることができる。これにより、大きな塵芥が傾斜面に絡まった場合でも流水損失が増えることなく、下流にある排水ポンプを運転できる。
【００２３】
また、本発明の別の態様によれば、内水河川からの水が流れ込む吸込水路と、前記吸込水路の下流に設けられた、上記の除塵設備と、前記除塵設備の下流に設けられた排水ポンプと、前記排水ポンプからの水を吐出ゲートを介して外水河川に吐出する吐出水路と、を備える排水機場が提供される。
【００２４】
また、本発明の別の態様によれば、排水機場の除塵設備における手掻きスクリーンによって捕捉された塵芥を除去する方法であって、前記手掻きスクリーンは、水路の上方に設けられた足場によって支持され、下部が前記水路中にあって前記水路を流れる塵芥を捕捉し、前記手掻きスクリーンの下端と、前記足場によって支持される部分との間に少なくとも１つの水平面を有し、前記水平面上の作業員が、前記捕捉された塵芥を前記水平面上に掻き上げる工程と、前記足場上の作業員が、前記水平面上に掻き上げられた塵芥を前記足場上に掻き上げる工程と、を備える、塵芥の除去方法が提供される。まず塵芥を水平面に掻き上げ、続いて足場上に掻き上げるため、作業員の安全性が向上するとともに、作業負担を軽減できる。
【００２５】
前記水平面の一部は、前記水路に向かって開口しており、前記水平面上に掻き上げられた塵芥は、前記水平面の開口から脱水されるのが望ましい。
【００２６】
また、前記水平面には、前記水平面に対して上下動可能な安全柵が設けられ、前記安全柵を前記水平面より上げて、前記水平面上の作業員は、前記捕捉された塵芥を前記水平面上に掻き上げ、その後、前記安全柵は前記水平面より下げられるのが望ましい。これにより、作業員の安全性がさらに向上する。
【００２７】
また、本発明の別の態様によれば、排水機場に設置される除塵設備の製造方法であって、水路の上方に足場を形成する工程と、手掻きスクリーンを、前記足場によって支持され、下部が前記水路中にあって前記水路を流れる塵芥を捕捉し、上部が前記足場より高い位置まで延びるよう、配置する工程と、を備える除塵設備の製造方法が提供される。これにより、安全性の高い除塵設備を製造できる。
【発明の効果】
【００２８】
作業員の安全性を向上できる。
【図面の簡単な説明】
【００２９】
【図１】排水機場１００を模式的に示す上面図
【図２】手掻きスクリーン２０を含む除塵設備１１を模式的に示す側面図
【図３】本発明の第１の実施形態に係る除塵設備３０を模式的に示す側面図
【図４】本実施形態における手掻きスクリーン２１を模式的に示す正面図
【図５】本発明の第２の実施形態に係る除塵設備３１を模式的に示す側面図
【図６】本発明の第２の実施形態に係る除塵設備３１を模式的に示す上面図
【図７】本発明の第３の実施形態に係る除塵設備３２を模式的に示す側面図
【図８】本実施形態における手掻きスクリーン２３を模式的に示す正面図
【図９】本発明の第４の実施形態に係る除塵設備３３を模式的に示す側面図
【図１０】安全柵４６を模式的に示す正面図
【図１１】図８と図９とを組み合わせた変形例である除塵設備３３を模式的に示す側面図
【図１２】図９の変形例である除塵設備３４を模式的に示す側面図
【図１３】本発明の第５の実施形態に係る除塵設備３５を模式的に示す側面図
【図１４】本発明の第５の実施形態に係る除塵設備３５を模式的に示す側面図
【図１５】本発明の第６の実施形態に係る除塵設備３６を模式的に示す側面図
【図１６】本実施形態における手掻きスクリーン２８を模式的に示す図
【図１７】本発明の第７の実施形態に係る除塵設備３７を模式的に示す側面図
【発明を実施するための形態】
【００３０】
以下、本発明に係る実施形態について、図面を参照しながら具体的に説明する。
【００３１】
（第１の実施形態）
図１を用いて説明したように、排水機場１０１は、吸込水路１０と、除塵設備３０と、排水ポンプ１２と、吐出水路１３と、吐出ゲート１４とを備えている。吸込水路１０は内水河川１からほぼ垂直に分岐して形成され、内水河川１からの水が流れ込む。吸込水路１０はＬ字形状となっており、その下流に除塵設備３０が設けられる。除塵設備３０は、塵芥４０が排水ポンプ１２に吸い込まれないよう、塵芥４０を捕捉する。排水ポンプ１２は除塵設備３０の下流に設けられ、吸込水路１０に流れ込んだ水を下流の吐出水路１３に排水する。吐出水路１３は外水河川２に合流するように形成され、吐出ゲート１４が開くことにより吐出水路１３の水が外水河川２に吐出される。
【００３２】
図３は、本発明の第１の実施形態に係る除塵設備３０を模式的に示す側面図である。除塵設備３０は、吸込水路１０の上方に設置される足場４１と、手掻きスクリーン２１と、塵芥収集部としての塵芥運搬具４２とを有する。このような除塵設備３０は、まず足場４１を形成し、その後、図３に示すように手掻きスクリーン２１や塵芥運搬具４２を配置することによって製造される。
【００３３】
図４は、本実施形態における手掻きスクリーン２１を模式的に示す正面図である。図示のように、手掻きスクリーン２１は、矩形の外枠５１と、垂直方向にほぼ等間隔（例えば２０〜１５０ｍｍ）に配置されて外枠５１に固定された複数の金属縦棒５２とによって構成される。図３に示すように、手掻きスクリーン２１は足場４１に立てかけられ、その下部は吸込水路１０中にあって、吸込水路１０を流れる塵芥４０を捕捉する。
【００３４】
捕捉された塵芥４０は、足場４１上の作業員４３が熊手式の除去具４４を用いて手掻きスクリーン２１に沿って掻き上げることにより除去され、塵芥運搬具４２に収集される。塵芥運搬具４２は、除去された塵芥４０を運搬するための手押し車やバケットなどであり、足場４１上に置かれる。塵芥運搬具４２は人力で移動可能な程度の大きさであり、作業効率を考慮すると、その高さは３０〜１００ｃｍであるのが望ましい。
【００３５】
手掻きスクリーン２１についてより詳しく説明する。手掻きスクリーン２１の高さ寸法Ｈ１は、設置される吸込水路１０の深さや水量に応じて設定され、例えば４〜５ｍに達することもある。手掻きスクリーン２１の上部は、足場４１より高く、さらには塵芥運搬具４２よりも高い位置まで延びており、その先端は足場４１の上方にある。手掻きスクリーン２１最上部の足場４１からの高さＨ２は塵芥運搬具４２より１０ｃｍ程度高い４０〜１１０ｃｍ程度であるのが望ましい。
【００３６】
手掻きスクリーン２１の側面は、直線面５３と湾曲面５４とが一体に接続された形状となっている。直線面５３の下端は吸込水路１０の底に接触して支持されている。そして、手掻きスクリーン２１は足場４１に向かって傾斜して配置され、直線面５３のある点５３ａにおいて足場４１によって支持される。
【００３７】
湾曲面５４は直線面５３の上端から延びて湾曲しており、その先端は、手掻きスクリーン２１に沿って掻き上げられた塵芥４０が自然に塵芥運搬具４２に導かれるよう、塵芥運搬具４２に向かっている。図３では、湾曲面５４の先端が塵芥運搬具４２に向かって下方に傾斜する円弧状であるが、湾曲面５４の先端は水平方向に延びていてもよい。
【００３８】
このような手掻きスクリーン２１を用いることで、足場４１が狭い場合であっても、除去具４４を用いて塵芥運搬具４２よりも高い位置まで塵芥４０を手掻きスクリーンに沿って掻き上げ、そのまま塵芥４０を塵芥運搬具４２に収集することができる。よって、作業員４３の労力を低減できる。また、塵芥運搬具４２より高い位置かつ足場４１の上方に手掻きスクリーン２１の上端が位置するので、手掻きスクリーン２１の上部が作業員４３の転落防護柵となり、安全性が向上する。
【００３９】
（第２の実施形態）
第２の実施形態は、塵芥運搬具４２に代えて塵芥案内路を設けるものである。以下、第１の実施形態との相違点を中心に説明する。
図５および図６は、それぞれ、本発明の第２の実施形態に係る除塵設備３１を模式的に示す側面図および上面図である。
【００４０】
本実施形態では、除塵設備３１は塵芥収集部としての塵芥案内路４５を有する。塵芥案内路４５は塵芥集積所（不図示）まで通じており、塵芥集積所に向かって下に傾斜している。塵芥案内路４５は、足場４１に掘られた溝でもよいし、足場４１上に設けられた樋状の部材であってもよい。また、塵芥案内路４５の底部の一部には、下方の吸込水路１０に向かって開口した排水孔４５ａが形成される。
【００４１】
本実施形態における手掻きスクリーン２２の上部は足場４１より高い位置まで延びており、その先端は足場４１の上方にある。また、湾曲面５４の先端は、手掻きスクリーン２２に沿って掻き上げられた塵芥４０が自然に塵芥案内路４５に導かれるよう、塵芥案内路４５に向かっている。
【００４２】
手掻きスクリーン２２によって捕捉された塵芥４０は、足場４１上の作業員４３が熊手式の除去具４４を用いて手掻きスクリーン２２に沿って掻き上げることにより除去され、塵芥案内路４５に収集される。塵芥案内路４５に収集された塵芥４０は塵芥集積所に向かって流れるが、その過程において塵芥４０の水分は排水孔４５ａから落下し、塵芥集積所に到達する際には水分がある程度除去されて軽量化されている。そして、塵芥集積所に集積された塵芥４０は、トラックなどによって搬出される。
【００４３】
このような手掻きスクリーン２２を用いることで、第１の実施形態と同様に、足場４１が狭い場合であっても、除去具４４を用いて塵芥案内路４５よりも高い位置まで塵芥４０を手掻きスクリーン２２に沿って掻き上げ、そのまま掻き上げた塵芥４０を塵芥案内路４５に収集できる。よって、作業員４３の労力を低減できる。また、足場４１より高い位置かつ足場４１の上方に手掻きスクリーン２２の上端が位置するので、手掻きスクリーン２２の上部が作業員４３の転落防護柵となり、安全性が向上する。
【００４４】
（第３の実施形態）
第３〜６の実施形態では、手掻きスクリーンのバリエーションについて説明する。以下、第１および第２の実施形態との相違点を中心に説明する。
【００４５】
図７は、本発明の第３の実施形態に係る除塵設備３２を模式的に示す側面図である。本実施形態の特徴である手掻きスクリーン２３の上部周辺のみを描いている。また、図８は、本実施形態における手掻きスクリーン２３を模式的に示す正面図である。本実施形態の手掻きスクリーン２３は下部部材６０と上部部材６１とから構成される。下部部材６０は外枠６０ａおよび複数の金属縦棒６０ｂにより構成され、上部部材６１も外枠６１ａおよび複数の金属縦棒６１ｂにより構成される。
【００４６】
下部部材６０の下端は吸込水路１０の底に支持され、下部部材６０のある点６０ｃが足場４１によって支持される。また、下部部材６０の外枠６０ａの側面上部には、当該側面に沿った長穴６１ｄが形成されている。上部部材６１の外枠６１ａは下部部材６０の外枠６０ａより幅が狭く、外枠６１ａの側面下部には、長穴６１ｄに嵌まる円柱状あるいは六角柱状などの凸部６１ｃが形成されている。
【００４７】
凸部６１ｃは長穴６１ｄに沿って自在に移動可能であり、かつ、任意の位置で下部部材６０と上部部材６１とを固定できる。これにより手掻きスクリーン２３は伸縮できる。また、凸部６１ｃは長穴６１ｄ内で自在に回転可能であり、かつ、任意の角度で下部部材６０と上部部材６１とを固定できる。これにより手掻きスクリーン２３の上部部材６１は凸部６１ｃを中心として回転でき、上部部材６１と下部部材６０との間の角度、言い換えると、上部部材６１と足場４１との間の角度を調整できる。
【００４８】
手掻きスクリーン２３が伸縮でき、その上部部材６１が回転できるため、除塵設備３２ごとに手掻きスクリーン２３の設置条件が異なる場合でも、柔軟な調整が可能となる。例えば、塵芥運搬具４２が設けられる除塵設備３２においては、塵芥運搬具４２の高さに応じて手掻きスクリーン２３を伸ばすことで、上部部材６１の先端を塵芥運搬具４２より高い位置に配置できる。一方、塵芥案内路４５が足場４１に設けられる除塵設備３２においては、手掻きスクリーン２３を縮めるとともに上部部材６１を足場４１側に回転させることで、上部部材６１を足場４１より若干高い程度とすることができ、作業員４３の作業負担を軽減できる。
【００４９】
なお、図７では下部部材６０の外枠６０ａに長穴６１ｄを設け、上部部材６１の外枠６１ａに凸部６１ｃを設ける例を示したが、逆に下部部材６０の外枠６０ａに凸部を設け、上部部材６１の外枠６１ａに長穴を設けてもよい。
【００５０】
このように、本実施形態では、手掻きスクリーン２３が伸縮でき、その上部部材６１が回転できるため、除塵設備３２に合わせて手掻きスクリーン２３の形状を最適化できる。
【００５１】
（第４の実施形態）
図９は、本発明の第４の実施形態に係る除塵設備３３を模式的に示す側面図である。本実施形態における手掻きスクリーン２４は、下端が吸込水路１０の底に支持されて足場４１に近づく方向に傾斜した第１傾斜面６２と、第１傾斜面６２の上端から足場４１に近づく方向に水平に延びる水平面６３と、水平面６３の端から足場４１に近づく方向に傾斜して延びる第２傾斜面６４と、第２傾斜面６４の端から延びる湾曲面６５とから構成される。水平面６３が吸込水路１０の水面より高い位置でほぼ水平となり、かつ、第２傾斜面６４のある点６４ａが足場４１に支持されるよう、手掻きスクリーン２４が配置される。
【００５２】
作業員４３は、水平面６３上で除去具４４を用い、第１傾斜面６２によって捕捉された塵芥４０を掻き上げることができる。足場４１上から掻き上げるのに比べ、除去具４４の柄の長さは短くてよい。
【００５３】
水平面６３もほぼ等間隔に配置された複数の金属棒によって構成されており、金属棒どうしの間に隙間が存在する。言い換えると、水平面６３の一部は、吸込水路１０に向かって開口している。そのため、水平面６３は脱水用の仮置部としても機能する。すなわち、水平面６３上の作業員４３は、掻き上げた塵芥４０を水平面６３に仮置きする。水平面６３において、塵芥４０中に含まれる水分が上記隙間から吸込水路１０に落ち、自然に脱水される。
【００５４】
続いて、足場４１上の作業員（不図示）が、水平面６３上で脱水された塵芥４０を掻き上げ、塵芥運搬具４２や塵芥案内路４５といった塵芥収集部（不図示）に収集する。水平面６３上で脱水された塵芥４０を掻き上げる作業を容易にするために、第２傾斜面６４の下部を足場４１で支持し、水平面６３および足場４１がほぼ同一平面上となるよう手掻きスクリーン２４を設置するのが望ましい。
【００５５】
水平面６３を設けることで、万が一、足場４１上の作業員が転落した場合でも、作業者が水没する前に水平面６３で受け止めることができ、足場４１上で作業する作業員の安全性がさらに向上する。
【００５６】
また、水平面６３上で作業する作業員４３の安全を考慮し、除塵設備３３は、水平面６３の吸込水路１０側の端部またはその近傍に設けられる安全柵４６を有するのが望ましい。
【００５７】
図１０は、安全柵４６を模式的に示す正面図である。安全柵４６は、垂直支柱４６ａと、水平バー４６ｂとから構成される。垂直支柱４６ａの高さは作業員４３の重心より高く、例えば１００〜１２０ｃｍ程度である。水平バー４６ｂは安全柵４６の上部のみに設けられ、作業員４３の落下を防止する。一方、安全柵４６の下部に水平バーは設けられず、開口している。この開口４６ｃから除去具４４を通して塵芥４０を掻き上げることができる。
【００５８】
この安全柵４６は、水平面６３に固定で設置されてもよい。あるいは、安全柵４６は必要に応じて安全機能を発揮する状態と発揮しない状態とを切り換えられるようにしてもよい。例えば、安全柵４６を水平面６３に対して上下動可能な構造とし、水平面６３より上げることで安全機能を発揮させ、水平面６３より下げることで発揮しないようにしてもよい。
【００５９】
図１１は、図８と図９とを組み合わせた変形例である除塵設備３３を模式的に示す側面図である。図１１に示す手掻きスクリーン２５は、第２傾斜面６４および湾曲面６５を含む上部部材６６と、水平面６３とを別部材とする。水平面６３が足場４１と接続される。そして、上部部材６６に長穴６６ａを設け、水平面６３に突起部６３ａ（またはその逆）を設けることで、手掻きスクリーン２５を伸縮可能とし、かつ上部部材６６を回転可能としている。これにより、除塵設備３３ごとに設置条件が異なる場合でも、柔軟な調整が可能となる。
【００６０】
図１２は、図９の変形例である除塵設備３４を模式的に示す側面図である。図１２に示す手掻きスクリーン２６は、水平面６３の第１傾斜面６２側（吸込水路１０側）の縁またはその近傍に突起部６３ａが設けられる。これにより、掻き上げた塵芥４０が第１傾斜面６２から吸込水路１０に戻るのを抑えることができる。この場合、突起部６３ａ上に安全柵４６を設けてもよい。
【００６１】
このように、本実施形態では手掻きスクリーン２４〜２６が水平面６３を有する。水平面６３は足場４１より下にあるため、作業員４３は柄が短く軽量な除去具４４を用いて塵芥４０を掻き上げることができ、作業員４３の労力を軽減できる。また、水平面６３に安全柵４６を設けることで作業員４３の安全性が向上する。
【００６２】
（第５の実施形態）
図１３は、本発明の第５の実施形態に係る除塵設備３５を模式的に示す側面図である。本実施形態の手掻きスクリーン２７は階段状になっており、手掻きスクリーン２７の下端と足場４１によって支持される部分との間に１以上の水平面６７がある。すなわち、手掻きスクリーン２７は、２以上の水平面６７と、水平面６７どうしをつなぐ段間面６８とから構成される。足場４１は、水平面６７と接続されてもよいし、段間面６８と接続されてもよい。
【００６３】
図９の手掻きスクリーン２５における水平面６３を複数設けた形状と考えることもでき、水平面６７はやはり仮置き部としても機能するし、作業員４３の水没を防ぐこともできる。
【００６４】
段間面６８は垂直であってもよいし（図１３（ａ））、塵芥４０を掻き上げる作業の負担を軽減するよう上部が足場４１に近づく方向に傾斜していてもよい（図１３（ｂ））。また、水平面６７を多く設けるほど段間面６８の高さを低くすることができる。これにより、除去具４４の柄の長さを短くすることができる。吸込水路１０と足場４１との距離を考慮し、除去具４４の柄の長さが最適化されるよう、水平面６７の寸法、段間面６８の寸法および傾斜角度、段数などを適宜設計するのがよい。
【００６５】
水平面６７上で作業する作業員４３の安全を考慮し、除塵設備３５は、水平面６７の吸込水路１０側の端部またはその近傍に設けられる安全柵４６（図１０）を有するのが望ましい。あるいは、段間面６８が傾斜している場合には、段間面６８に安全柵４６を設けてもよい。
【００６６】
安全柵４６は水平面６７に固定で設置されてもよい。この場合、図１４に示すように、大雨などによって一旦水位が安全柵４６より高くなった後に、水位がまた低くなると、安全柵４６のある水平面６７上に流木やプラスチックなど浮揚性で大型の塵芥４０を捕捉できる。そして、塵芥４０に含まれる水分は水平面６７の隙間から落下して脱水される。これにより、浮揚性で大型の塵芥４０を水中から掻き揚げる労力なく、乾燥して軽量化した状態で回収できる。
【００６７】
また、安全柵４６は水平面６７に対して上下動可能な構造であってもよい。安全柵４６を固定で設置する場合に比べ、吸込水路１０の水位が高くなって安全柵４６が水没した際に塵芥４０が安全柵４６を破損する可能性を軽減できるとともに、安全柵４６に付着した塵芥４０を除去する手間を減らせる。作業員４３の安全性を確保するためには、通常は最上段の安全柵４６のみを上げておき、除塵除去作業時に、作業を行う水平面６７の安全柵４６を上げて安全機能を発揮させておき、作業後には安全柵４６を下げるようにしてもよい。
このように、本実施形態のようにして手掻きスクリーンに多段の水平面を設けてもよい。
【００６８】
（第６の実施形態）
図１５は、本発明の第６の実施形態に係る除塵設備３６を模式的に示す側面図である。また、図１６（ａ）は、本実施形態における手掻きスクリーン２８を模式的に示す正面図であり、図１６（ｂ）は同正面図をＡ方向から見た上面図である。
【００６９】
手掻きスクリーン２８は、図４と同様に、矩形の外枠５１およびほぼ等間隔に配置された複数の金属縦棒５２に加え、バー連結棒５５と、簡易足場５６とを有する。複数の金属縦棒５２のうち数本に１本は、他の金属縦棒５２より幅が広い幅広バー５２ａとなっている。バー連結棒５５は、丸棒、角棒、形鋼などであり、水平方向に設けられて幅広バー５２ａどうしを連結してこれらの間隔を一定に保つ。そして、バー連結棒５５には、歩廊となる水平面５６ａを有する簡易足場５６が取り付けられる。簡易足場５６には安全柵４６（図１０）を設けてもよい。
このように、本実施形態のようにして手掻きスクリーン２８に水平面５６ａを設けてもよい。
【００７０】
（第７の実施形態）
図１７は、本発明の第７の実施形態に係る除塵設備３７を模式的に示す側面図である。この除塵設備３７は、歩廊となる管理橋４７と、簡易足場４８とをさらに有する。管理橋４７は、足場４１とは別に設けられる足場であり、吸込水路１０の上方かつ計画最高水位ＨＷＬより上方に設けられる。管理橋４７は既設で設けられてもよいし、一時的かつ簡易的に設けられてもよい。簡易足場４８は、手掻きスクリーン４９に近接する水平面４８ａと、一端が水平面４８ａに固定されるとともに管理橋４７に支持される傾斜面４８ｂとから構成される。また、水平面４８ａの手掻きスクリーン４９側には安全柵４６（図１０）が設けられてもよい。
【００７１】
作業員４３は、管理橋４７から簡易足場４８に移動し、簡易足場４８上で塵芥４０を除去する。除去された塵芥４０は管理橋４７を通して排水機場外に送られる。
【００７２】
このように、手掻きスクリーン４９に水平面を設けるのではなく、足場４１とは異なる管理橋４７に接続される簡易足場４８を設けて塵芥４０を除去してもよい。
【００７３】
なお、第４〜７の実施形態において、手掻きスクリーンの上部は足場４１より高い位置まで延びていてもよいし、水平面や安全柵４６によって安全性が確保されるとして手掻きスクリーンの上部が足場４１と同じ高さまで延びていてもよい。
【００７４】
以上、本願発明に関するいくつかの実施形態について説明したが、本願発明は上述の実施例に限定されず、その技術思想の範囲内において、複数の実施形態を組み合わせるなど種々の異なる形態で実施されてよいことは勿論である。
【符号の説明】
【００７５】
１  内水河川
２  外水河川
３  自然流下ゲート
１０  吸込水路
１１，３０〜３７  除塵設備
１２  排水ポンプ
１３  吐出水路
１４  吐出ゲート
２０〜２８，４９  手掻きスクリーン
４０  塵芥
４１  足場
４２  塵芥運搬具
４３  作業員
４４  除去具
４５  除塵案内路
４６  安全柵
４７  管理橋
４８  簡易足場
５５  バー連結棒
５６  簡易足場
６０  下部部材
６１  上部部材
６２  第１傾斜面
６３  水平面
６３ａ  突起部
６４  第２傾斜面
６５  湾曲面
６６  上部部材
６７  水平面
６８  段間面
１００  排水機場
【図１】
0006595772.tif 000002
【図２】
0006595772.tif 000003
【図３】
0006595772.tif 000004
【図４】
0006595772.tif 000005
【図５】
0006595772.tif 000006
【図６】
0006595772.tif 000007
【図７】
0006595772.tif 000008
【図８】
0006595772.tif 000009
【図９】
0006595772.tif 000010
【図１０】
0006595772.tif 000011
【図１１】
0006595772.tif 000012
【図１２】
0006595772.tif 000013
【図１３】
0006595772.tif 000014
【図１４】
0006595772.tif 000015
【図１５】
0006595772.tif 000016
【図１６】
0006595772.tif 000017
【図１７】
0006595772.tif 000018